(57)【要約】【課題】  本発明は、受験者が問題文の任意部分を強調表示可能にし、解答形式によらず問題文及び受験者自身の解答にコメント文章を追加可能にした試験システムに関するものであり、従来は、システムで用意された符号しか使用できないという問題があった。【解決手段】  上記課題を解決するために、マーカによる強調表示を行うにあたり必要なマーカデータを格納するマーカデータベース３２と該マーカデータベース３２にアクセスするためのマーカ処理部１５、及び付箋によるコメント文章の追加を行うにあたり必要な付箋データを格納する付箋データベース３１と該付箋データベースにアクセスするための付箋データ処理部１４を具備する試験システムにより解決する。【選択図】  図１
2005331529.tif 000002
【特許請求の範囲】
【請求項１】
コンピュータを用いた試験システムであって、受験者が画面上に表示される問題文の任意部分を強調表示するためにマーカを付す手段を設けたことを特徴とする試験システム。
【請求項２】
コンピュータを用いた試験システムであって、受験者が画面上に表示される問題文及び受験者が自身の解答に対してコメント文章を付箋として追加し、該付箋を表示するための手段を設けたことを特徴とする試験システム。
【請求項３】
請求項１又は２記載の試験システムにおいて、受験者の指定した色を検索条件に含めて前記マーカ及び前記付箋を検索することが可能な試験システム。
【発明の詳細な説明】
【技術分野】
【０００１】
本発明は、コンピュータを用いた試験システムにおける付加情報の表示及び検索方法に関するものである。
【背景技術】
【０００２】
従来は、特開２００２−１８２５５１号公報及び特開２００３−２５５８１６号公報に記載のように、受験者が解答できなかった問題及び選択肢に対してのメモとして、問題文や選択肢に符号及び記号を付けて、受験者に対してのメモ機能を提供していた。
【０００３】
上記従来技術は、多肢選択式の試験システムであり、受験者に他の形式で、例えば解答群から正しいものを選択して並び替える形式や作図による形式により解答を行わせる試験システムについては対応していなかった。また、受験者が問題文の重要だと思う部分の強調及び問題文にコメント文章の追加を紙媒体の試験のように行えないという問題があった。
【０００４】
【特許文献１】特開２００２−１８２５５１号公報
【特許文献２】特開２００３−２５５８１６号公報
【発明の開示】
【発明が解決しようとする課題】
【０００５】
本発明が解決しようとする目的は、受験者が問題文の重要だと思う部分を強調表示できるとともに、解答形式によらず問題文及び受験者自身の解答についてのコメント文章を追加できる試験システムを提供することを最も主要な目的とする。
【課題を解決するための手段】
【０００６】
上記目的を達成するために、問題文の一部分を強調するためにマーカを追加する手段を提供するとともに、問題文及び受講者の解答の近傍にコメント文章を記入できる付箋を追加するための手段を提供するようにしたものである。また、受験者が追加したマーカ又は付箋に対する条件を指定し、条件を満たすマーカ又は付箋を抽出して、当該マーカ又は付箋の付加されている問題文を表示できる手段を提供するようにしたものである。
【発明の効果】
【０００７】
本発明によれば、紙媒体のように思考過程を妨げることなく解答を行う環境を提供することにより、受験者の解答導出過程での障害を少なくできることから、受験者の能力をより正確に判定できるという利点がある。
【発明を実施するための最良の形態】
【０００８】
以下、本発明を実施するための最良の形態を図面に基づいて説明する。
【０００９】
図１は、本発明における一実施例である試験システムの構成を示すものである。本実施例では、試験システムは、試験システムクライアント１０及び問題サーバ２０で構成される。試験システムクライアント１０は、処理の制御を行う処理制御部１１、受験者からの入力を受け付ける入力処理部１２、処理結果を表示する表示処理部１３、付箋データの読み書きを行う付箋データ処理部１４、マーカデータの読み書きを行うマーカデータ処理部１５、問題サーバ２０から問題データを取得する問題データ処理部１６、及び解答データの読み書きを行う解答データ処理部１７から構成される。また、試験システムクライアント１０は、受験者の貼付した付箋を保持する付箋データベース３１、受験者の貼付したマーカを保持するマーカデータベース３２、及び受験者の解答を保持する解答データベース３３をもつ。問題サーバ２０は、クライアントから依頼された問題を提供する問題データ提供部２１を備え、試験問題データを保持している問題データベース４１をもつ。なお、問題データベース４１は、試験システムクライアント１０と同一マシン上に存在し、問題データ処理部１６が直接アクセスしてもよい。試験システムクライアント１０は、入力処理部１２で受けた受験者からの指示を処理制御部１１に通知する。該処理制御部１１は、付箋データ処理部１４、マーカデータ処理部１５、問題データ処理部１６及び解答データ処理部１７を通し、付箋データベース３１から付箋データを、マーカデータベース３２からマーカデータを、問題サーバ２０の問題データ提供部２１を経由して問題データベース４１から問題データを、解答データベース３３から解答データをそれぞれ取得して受験者からの指示に対する処理を行い、必要であれば付箋データ処理部１４、マーカデータ処理部１５及び解答データ処理部１７を通して付箋データベース３１、マーカデータベース３２及び解答データベース３３の変更又は各データの追加を行い、受験者の指示に対する処理結果を表示処理部１３で表示する。
【００１０】
図２は、本実施例における付箋データベース３１のデータ構造を示すものである。本実施例では、付箋データベース３１に格納される付箋データは、付箋が貼付された問題番号を示す問題番号３１２、付箋が貼付された位置を示す位置３１２、貼付された付箋色を示す色３１３及び貼付された付箋に記入されている文字列を示す記入文字列３１４からなる。
【００１１】
図３は、本実施例におけるマーカデータベース３２のデータ構造を示すものである。本実施例では、マーカデータベース３２に格納されるマーカデータは、マーカが添付されている問題番号３２１、マーカ貼付の先頭を示す開始位置３２２、マーカ添付の末尾を示す終了位置３２３、及びマーカ色を示す色３２４からなる。
【００１２】
図４は、本実施例における試験問題表示画面５０を示すものである。本実施例では、試験問題表示画面５０は、試験問題及び解答を表示する主表示部５１、前の問題及び次の問題の表示を指示する表示問題移動指示部５２、並びに付箋及びマーカの追加及び検索を指示する付箋・マーカ情報操作指示部５３からなる。受験者が貼付した付箋５４及びマーカ５５は、主表示部５１に表示される。付箋・マーカ情報操作指示部５３には、付箋の追加貼付を開始するための付箋追加パレット５３１、マーカの追加貼付を開始するためのマーカ追加パレット５３２、付箋及びマーカに対する操作を取り消すための付箋・マーカ操作取消しボタン５３３、受験者が貼付した付箋の検索を開始するための付箋検索ボタン５３４、及び受験者が貼付したマーカの検索を開始するためのマーカ検索ボタン５３５がある。
【００１３】
図５は、試験問題を主表示部５１に表示する際の処理の流れを示す。処理制御部１１は、次に表示を行う問題番号を問題データ処理部１６、解答データ処理部１７、付箋データ処理部１４及びマーカデータ処理部１５に通知する。問題データ処理部１６は、問題サーバ２０の問題データ提供部２１に問題番号を通知する。該問題データ提供部２１は、問題データベース４１から通知された問題番号の問題データを取得し、問題データ処理部１６へ返す。解答データ処理部１７、付箋データ処理部１４及びマーカデータ処理部１５は、それぞれ指定された問題番号に対応した解答データを解答データベース３３から、付箋データを付箋データベース３１から、マーカデータをマーカデータベース３２からそれぞれ取得し、処理制御部１１に返す（ステップＳ１００１）。
【００１４】
処理制御部１１は、前ステップで取得した問題データ及び解答データを表示処理部１３に渡して試験問題の表示を依頼する。表示処理部１３は、該問題データ及び該解答データを用いて、問題文及び問題に対する受験者の解答を主表示部５１に表示する（ステップＳ１００２）。
【００１５】
処理制御部１１は、前ステップで取得したマーカデータを表示処理部１３に渡してマーカの表示を依頼する。表示処理部１３は、主表示部５１に該マーカデータの開始位置３２２から終了位置３２３まで色３２４でマーカを表示する（ステップＳ１００３）。
【００１６】
処理制御部１１は、前ステップで取得した付箋データを表示処理部１３に渡して付箋の表示を依頼する。表示処理部１３は、主表示部５１に該付箋データの位置３１２に付箋色を色３１３とし、記入文字列３１４が記入された付箋を表示する（ステップＳ１００４）。
【００１７】
図６は、新規に付箋を追加する際の処理の流れを示す。受験者が付箋追加パレット５３１内の色を選択すると、入力処理部１２は、受験者が選択した色を特定して処理制御部１１に当該色での付箋の追加を依頼する（ステップＳ１１０１）。
【００１８】
処理制御部１１は、付箋貼付位置の取得を入力処理部１２に依頼する。入力処理部１２は、受験者に付箋貼付位置の入力を促す。例えば、マウスによる入力であればマウスカーソルの形を変えるという方法がある。入力処理部１２は、受験者の付箋貼付位置の指定を取得し、該付箋貼付位置を処理制御部１１に返す。ただし、入力処理部１２が付箋・マーカ操作ボタン５３３を選択したことを検出すると、処理制御部１１へ付箋・マーカ追加処理の中止を通知する（ステップＳ１１０２）。
【００１９】
処理制御部１１は、付箋記入文字列の入力を促す。本実施例では、図７に示すダイアログボックスを表示して受験者に付箋記入文字列を入力させる。入力処理部１２は、受験者の付箋記入文字列の入力を取得し、該付箋記入文字列処理制御部１１に返す（ステップＳ１１０３）。
【００２０】
処理制御部１１は、現在表示している問題番号、ステップＳ１１０２で取得した付箋貼付位置、ステップＳ１１０１で取得した付箋色及びステップＳ１１０３で取得した付箋記入文字列を付箋データ処理部１４に渡して新規付箋データの追加を依頼する。付箋データ処理部１４は、前記問題番号を問題番号３１１、前記付箋貼付位置を位置３１２、前記付箋色を色３１３、前記付箋記入文字列を記入文字列３１４とした一組の付箋データとして、付箋データベース３１に追加する（ステップＳ１１０４）。
【００２１】
処理制御部１１は、ステップＳ１１０１からステップＳ１１０３で取得した付箋貼付位置、付箋色及び付箋記入文字を表示処理部１３に渡して付箋の表示を依頼する。表示処理部１３は、前記付箋貼付位置に前記付箋色とし、前記付箋記入文字列が記入された付箋を表示する（ステップＳ１１０５）。
【００２２】
図８は、新規にマーカを追加する際の処理の流れを示す。受験者がマーカ追加パレット５３２内の色を選択すると、入力処理部１２は、受験者が選択した色を特定して処理制御部１１に当該色でのマーカの追加を依頼する（ステップＳ１２０１）。
【００２３】
処理制御部１１は、マーカ貼付の開始位置及び終了位置の取得を入力処理部１２に依頼する。入力処理部１２は、受験者にマーカ貼付の開始位置及び終了位置の入力を促す。例えば、マウスによる入力であればマウスカーソルの形を変えるという方法がある。入力処理部１２は、受験者のマーカ貼付の開始位置及び終了位置の指定を取得し、該マーカ貼付の開始位置及び終了位置を処理制御部１１に返す。ただし、入力処理部１２が付箋・マーカ操作ボタン５３３を選択したことを検出すると、処理制御部１１へ付箋・マーカ追加処理の中止を通知する（ステップＳ１２０２）。
【００２４】
処理制御部１１は、現在表示している問題番号、ステップＳ１２０２で取得したマーカ貼付の開始位置及び終了位置、並びにステップＳ１２０１で取得したマーカ色をマーカデータ処理部１５に渡して新規マーカデータの追加を依頼する。マーカデータ処理部１５は、前記問題番号を問題番号３２１、前記マーカ貼付の開始位置を開始位置３２２、前記マーカ貼付の終了位置を終了位置３２３、及び前記付箋色を色３２４とした一組のマーカデータとして、マーカデータベース３２に追加する（ステップＳ１２０３）。
【００２５】
処理制御部１１は、ステップＳ１２０１及びステップＳ１２０２で取得したマーカ貼付の開始位置及び終了位置、並びにマーカ色を表示処理部１３に渡してマーカの表示を依頼する。表示処理部１３は、前記マーカ貼付の開始位置から前記マーカ貼付の終了位置まで前記マーカ色でマーカを表示する（ステップＳ１２０４）。
【００２６】
図９は、貼付済みの付箋及びマーカに対する操作を実現する処理の流れを示す。入力処理部１２は、受験者が指定した主表示部５１上の位置を取得し、処理制御部１１へ該指定位置を渡す（ステップＳ１３０１）。
【００２７】
処理制御部１１は、前記指定位置と、現在表示している付箋の位置とを用いて、前記指定位置に付箋が存在するかを判定する（ステップＳ１３０２）。
【００２８】
ステップＳ１３０２で前記指定位置に付箋が存在する場合には、処理制御部１１は、付箋に対する操作の入力を促す。例えば、ポップアップメニューを表示して選択させる方法がある。入力処理部１２は、受験者からの付箋に対する操作の選択を受け付け、処理制御部１１に通知する（ステップＳ１３１１）。
【００２９】
処理制御部１１は、ステップＳ１３１１で通知された操作を判定する（ステップＳ１３１２）。
【００３０】
ステップＳ１３１２で判定の結果が付箋の移動である場合には、処理制御部１１は、付箋貼付位置の取得を入力処理部１２に依頼する。入力処理部１２は、受験者に付箋貼付位置の入力を促す。例えば、マウスによる入力であればマウスカーソルの形を変えるという方法がある。入力処理部１２は、受験者の付箋貼付位置の指定を取得し、該付箋貼付位置を処理制御部１１に返す（ステップＳ１３１３）。
【００３１】
処理制御部１１は、前ステップで取得した記入文字列、付箋色又は貼付位置を用いてステップＳ１３０２で判定した付箋に対する付箋データの変更を付箋データ処理部１４に依頼する。付箋データ処理部１４は、付箋データベース３１内の当該付箋データを前ステップで取得した記入文字列、付箋色又は貼付位置で変更する（ステップＳ１３１４）。
【００３２】
処理制御部１１は、現在表示中の問題番号を付箋データ処理部１４及びマーカデータ処理部１５に通知する。付箋データ処理部１４及びマーカデータ処理部１５は、それぞれ指定された問題番号に対応した付箋データを付箋データベース３１から、マーカデータをマーカデータベース３２からそれぞれ取得し、処理制御部１１に返す（ステップＳ１３１５）。
【００３３】
処理制御部１１は、前ステップで取得した問題データ及び解答データを表示処理部１３に渡して試験問題の表示を依頼する。表示処理部１３は、該問題データ及び該解答データを用いて、問題文及び問題に対する受験者の解答を主表示部５１に表示する（ステップＳ１００２）。
【００３４】
処理制御部１１は、前ステップで取得したマーカデータを表示処理部１３に渡してマーカの表示を依頼する。表示処理部１３は、主表示部５１に該マーカデータの開始位置３２２から終了位置３２３まで色３２４でマーカを表示する（ステップＳ１００３）。
【００３５】
処理制御部１１は、前ステップで取得した付箋データを表示処理部１３に渡して付箋の表示を依頼する。表示処理部１３は、主表示部５１に該付箋データの位置３１２に付箋色を色３１３とし、記入文字列３１４が記入された付箋を表示する（ステップＳ１００４）。
【００３６】
ステップＳ１３１２で判定の結果が記入文字列・付箋色の変更である場合には、処理制御部１１は、受験者に変更後の記入文字列及び付箋色を入力及び設定するように促す。本実施例では、現在の当該付箋に設定されている記入文字列及び付箋色が入力及び設定された状態の図１０に示すダイアログボックスを表示する。入力処理部１２は、記入文字列及び付箋色を取得し、処理制御部１１に返す（ステップＳ１３２１）。
【００３７】
ステップＳ１３１２で判定の結果が付箋の削除である場合には、処理制御部１１は、ステップＳ１３０２で判定した付箋に対する付箋データの削除を付箋データ処理部１４に依頼する。付箋データ処理部１４は、付箋データベース３１内の当該付箋データを削除する（ステップＳ１３３１）。
【００３８】
ステップＳ１３０２で前記指定位置に付箋が存在しない場合には、前記指定位置と、現在表示しているマーカの開始位置及び終了位置とを用いて、前記指定位置にマーカが存在するかを判定する（ステップＳ１３０３）。
【００３９】
ステップＳ１３０３で前記指定位置にマーカが存在しない場合には、何も行わない。
【００４０】
ステップＳ１３０３で前記指定位置にマーカが存在する場合には、処理制御部１１は、マーカに対する操作の入力を促す。例えば、ポップアップメニューを表示して選択させる方法がある。入力処理部１２は、受験者からのマーカに対する操作の選択を受け付け、処理制御部１１に通知する（ステップＳ１３４１）。
【００４１】
処理制御部１１は、ステップＳ１３４１で通知された操作を判定する（ステップＳ１３４２）。
【００４２】
ステップＳ１３４２で判定の結果がマーカ色の変更である場合には、処理制御部１１は、受験者に変更後のマーカ色を設定するように促す。本実施例では、現在の当該マーカに設定されているマーカ色が設定された状態の図１１に示すダイアログボックスを表示する。入力処理部１２は、マーカ色を取得し、処理制御部１１に返す（ステップＳ１３４３）。
【００４３】
処理制御部１１は、前ステップで取得したマーカ色を用いてステップＳ１３０３で判定したマーカに対するマーカデータの変更をマーカデータ処理部１５に依頼する。マーカデータ処理部１５は、マーカデータベース３２内の当該マーカデータを前ステップで取得したマーカ色で変更する（ステップＳ１３４４）。
【００４４】
ステップＳ１３４２で判定の結果がマーカの削除である場合には、処理制御部１１は、ステップＳ１３０３で判定したマーカに対するマーカデータの削除をマーカデータ処理部１５に依頼する。マーカデータ処理部１５は、マーカデータベース３２内の当該マーカデータを削除する（ステップＳ１３５１）。
【００４５】
図１２は、付箋検索処理の流れを示す。本実施例では、付箋検索ボタン５３４を押すことで処理が開始される。処理制御部１１は、付箋検索のための検索条件の入力を促す。本実施例では、図１３に示すダイアログボックスを表示する。入力処理部１２は、受験者の付箋データ検索条件を取得し、処理制御部１１に渡す（ステップＳ１４０１）。
【００４６】
処理制御部１１は、ステップＳ１４０１で渡された付箋データ検索条件を付箋データ処理部１４に渡し、該付箋データ検索条件に合致する付箋データ取得を依頼する。付箋データ処理部１４は、付箋データベース３１から前記付箋データ検索条件うち色の条件が一致し、かつ記入文字列に前記付箋データ検索条件で指定された文字列が含まれているものを付箋データ検索結果として処理制御部１１に返す（ステップＳ１４０２）。
【００４７】
処理制御部１１は、前記付箋データ検索結果を表示処理部１３に渡し、表示を依頼する。表示処理部１３は、前記付箋データ検索結果を主表示部５１に問題番号、付箋色及び記入内容の組で表示する（ステップＳ１４０３）。
【００４８】
本実施例での付箋データ検索結果の表示例を図１４に示す。図１４の問題番号を選択すると選択された問題番号の問題が表示される。また、表示問題移動指示部３２に追加された問題に戻るボタンを押すと付箋検索実施前に表示していた問題を表示できる。本実施例では、検索実施後に問題を表示すると図１５に示すように表示問題移動指示部３２に検索結果表示ボタンが追加され、該検索結果表示ボタンを押すと直前に検索した結果表示画面を表示できる。
【００４９】
図１６は、マーカ検索処理の流れを示す。本実施例では、マーカ検索ボタン５３５を押すことで処理が開始される。処理制御部１１は、マーカ検索のための検索条件の入力を促す。本実施例では、図１７に示すダイアログボックスを表示する。入力処理部１２は、受験者のマーカデータ検索条件を取得し、処理制御部１１に渡す（ステップＳ１５０１）。
【００５０】
処理制御部１１は、ステップＳ１５０１で渡されたマーカデータ検索条件をマーカデータ処理部１５に渡し、該マーカデータ検索条件に合致するマーカデータ取得を依頼する。マーカデータ処理部１５は、マーカデータベース３２から前記マーカデータ検索条件うち色の条件が一致しているものをマーカデータ検索結果として処理制御部１１に返す（ステップＳ１５０２）。
【００５１】
処理制御部１１は、前記マーカデータ検索結果を表示処理部１３に渡し、表示を依頼する。表示処理部１３は、前記マーカデータ検索結果を主表示部５１に問題番号及びマーカ色の組で表示する（ステップＳ１４０３）。
【００５２】
本実施例でのマーカデータ検索結果表示例を図１８に示す。図１８の問題番号を選択すると選択された問題番号の問題が表示される。また、表示問題移動指示部３２に追加された問題に戻るボタンを押すとマーカ検索実施前に表示していた問題を表示できる。本実施例では、検索実施後に問題を表示すると図１５に示すように表示問題移動指示部３２に検索結果表示ボタンが追加され、該検索結果表示ボタンを押すと直前に検索した結果表示画面を表示できる。
【図面の簡単な説明】
【００５３】
【図１】本発明の実施方法の全体構成を示す説明図である。
【図２】付箋データベースのデータ構造を示す図である。
【図３】マーカデータベースのデータ構造を示す図である。
【図４】試験問題表示画面を示す図である。
【図５】試験問題を表示するまでの流れを示すフローチャートである。
【図６】付箋を追加する処理の流れを示すフローチャートである。
【図７】付箋記入文字列を入力する画面を示す図である。
【図８】マーカを追加する処理の流れを示すフローチャートである。
【図９】貼付済みの付箋及びマーカに対する操作を実現する処理の流れを示すフローチャートである。
【図１０】変更後の付箋の色及び記入文字列を指定及び入力する画面を示す図である。
【図１１】変更後のマーカの色を指定する画面を示す図である。
【図１２】付箋検索処理の流れを示すフローチャートである。
【図１３】付箋の検索条件入力画面を示す図である。
【図１４】付箋の検索結果表示画面を示す図である。
【図１５】付箋又はマーカの検索実施後の試験問題表示画面を示す図である。
【図１６】マーカ検索処理の流れを示すフローチャートである。
【図１７】マーカの検索条件入力画面である。
【図１８】マーカの検索結果表示画面である。
【符号の説明】
【００５４】
１０…試験システムクライアント、１１…処理制御部、１２…入力処理部、１３…表示処理部、１４…付箋データ処理部、１５…マーカデータ処理部、１６…問題データ処理部、１７…解答データ処理部、２０…問題サーバ、２１…問題データ提供部、３１…付箋データベース、３２…マーカデータベース、３３…解答データベース、４１…問題データベース。
【図１】
2005331529.tif 000003
【図２】
2005331529.tif 000004
【図３】
2005331529.tif 000005
【図４】
2005331529.tif 000006
【図５】
2005331529.tif 000007
【図６】
2005331529.tif 000008
【図７】
2005331529.tif 000009
【図８】
2005331529.tif 000010
【図９】
2005331529.tif 000011
【図１０】
2005331529.tif 000012
【図１１】
2005331529.tif 000013
【図１２】
2005331529.tif 000014
【図１３】
2005331529.tif 000015
【図１４】
2005331529.tif 000016
【図１５】
2005331529.tif 000017
【図１６】
2005331529.tif 000018
【図１７】
2005331529.tif 000019
【図１８】
2005331529.tif 000020